(57)【要約】  【課題】  被写体が商品を実際に身に着けた際の映像情報を利用して、実際には身に着けていない関連商品の映像情報を提供する。  【解決手段】  所定の商品を身に着けた被写体を撮影し映像情報を得るディジタルカメラ１１と、被写体が身に着けた商品およびこの商品と関連する関連商品の商品情報が格納される商品情報データベース(ＤＢ)２２とを有し、この商品情報データベース(ＤＢ)２２に格納された商品情報を読み出し、ディジタルカメラ１１により得られた映像情報における商品の映像部分を関連商品の情報に置き換えて、映像情報処理部４５により変換映像情報を生成する。そして、この映像情報処理部４５により生成された変換映像情報をプリンタ１３によって記録媒体に印刷する。  【選択図】  図１
2005099956.tif 000002
【特許請求の範囲】
【請求項１】
所定の商品を身に着けた被写体を撮影し、映像情報を得る撮影手段と、
被写体が身に着けた前記商品および当該商品と関連する関連商品の商品情報が格納される商品情報格納手段と、
前記商品情報格納手段に格納された前記商品情報を読み出し、前記撮影手段により得られた前記映像情報における前記商品の映像部分を前記関連商品の情報に置き換えて変換映像情報を生成する変換映像情報生成手段と、
前記変換映像情報生成手段により生成された前記変換映像情報を記録媒体に印刷する印刷手段と
を含む映像情報処理装置。
【請求項２】
前記撮影手段により被写体が撮影された際の撮影条件を取得する撮影条件取得手段と、
合成される合成映像情報が格納される映像情報格納手段と、
前記映像情報格納手段から所定の合成映像情報を読み出し、当該合成映像情報の状態と前記撮影条件取得手段により取得された前記撮影条件とに基づいて前記撮影手段により撮影された映像情報に所定の処理を施す処理手段と、
前記変換映像情報生成手段は、前記処理手段により前記所定の処理が施された映像情報に、読み出された前記合成映像情報を合成して変換映像情報を生成することを特徴とする請求項１記載の映像情報処理装置。
【請求項３】
前記印刷手段は、前記変換映像情報に情報を含めた前記関連商品を特定するための注文コード情報を、前記変換映像情報と同時に印刷することを特徴とする請求項１記載の映像情報処理装置。
【請求項４】
被写体が商品を身に着けた際の映像情報を取得可能な映像情報取得手段と、
身に着けられた前記商品の色情報を取得する色情報取得手段と、
前記色情報取得手段により取得された前記色情報を用いて、前記映像情報取得手段により取得された前記映像情報の中における前記商品の領域を認識する領域認識手段と、
身に着けられた前記商品とは色彩が異なる関連商品の色情報を取得する関連商品色情報取得手段と、
前記映像情報における前記領域の色情報を前記関連商品色情報取得手段により取得された前記関連商品の色情報に置き換えて変換映像情報を生成する生成手段と
を含む映像情報処理システム。
【請求項５】
前記領域認識手段は、前記色情報取得手段により取得された前記色情報から一定範囲内にある色情報の領域を前記商品の領域として認識することを特徴とする請求項４記載の映像情報処理システム。
【請求項６】
前記生成手段により生成された前記変換映像情報に含まれる前記関連商品を特定するためのコード情報を生成するコード情報生成手段と、
前記生成手段により生成された前記変換映像情報および前記コード情報生成手段により生成された前記コード情報を含めて印刷する印刷手段とを更に含む請求項４記載の映像情報処理システム。
【請求項７】
前記色情報取得手段および前記関連商品色情報取得手段は、商品情報が格納された商品情報データベースから色情報を取得することを特徴とする請求項４記載の映像情報処理システム。
【請求項８】
所定の照明条件で撮影され、商品を身に着けた被写体を含む映像情報を取得可能な映像情報取得手段と、
前記映像情報における前記被写体を除く背景画像を除去する背景画像除去手段と、
前記照明条件にて撮影された際の照明情報を取得する照明情報取得手段と、
各種映像情報が格納された映像情報データベースから、合成される合成背景画像を取得する合成背景画像取得手段と、
前記照明情報取得手段により取得された前記照明情報と、前記合成背景画像取得手段により取得された前記合成背景画像で想定される照明条件とから、前記背景画像除去手段により前記背景画像が除去された後の映像情報に対してフィルタ処理を施すフィルタ処理手段と、
前記フィルタ処理手段によりフィルタ処理が施された前記映像情報と、前記合成背景画像取得手段により取得された前記背景画像とを合成して変換映像情報を生成する生成手段と
を含む映像情報処理システム。
【請求項９】
身に着けられた前記商品の色情報を取得する色情報取得手段と、
前記色情報取得手段により取得された前記色情報を用いて、前記映像情報取得手段により取得された前記映像情報の中から前記商品の領域を認識する領域認識手段と、
身に着けられた前記商品とは色彩が異なる関連商品の色情報を取得する関連商品色情報取得手段とを更に含み、
前記生成手段は、前記映像情報における前記領域の色情報を前記関連商品色情報取得手段により取得された前記関連商品の色情報に置き換えて前記変換映像情報を生成することを特徴とする請求項８記載の映像情報処理システム。
【請求項１０】
前記商品および/または前記関連商品を特定するためのコード情報を生成するコード情報生成手段と、
前記生成手段により生成された前記変換映像情報および前記コード情報生成手段により生成された前記コード情報を含めて印刷する印刷手段とを更に含む請求項８または９記載の映像情報処理システム。
【請求項１１】
被写体が商品を身に着けた際の映像情報を取得するステップと、
商品情報格納手段から前記商品の色情報を取得するステップと、
取得された前記色情報を用いて、前記映像情報の中における前記商品の領域を認識するステップと、
前記商品情報格納手段から前記商品とは色彩が異なる関連商品の色情報を取得するステップと、
前記映像情報の中における前記領域の色情報を前記関連商品の色情報に置き換えて変換映像情報を生成するステップと、
生成した前記変換映像情報を印刷出力するステップと
を含む映像情報出力方法。
【請求項１２】
前記領域を認識するステップは、取得された前記色情報から一定範囲内にある色情報の領域を前記商品の領域として認識することを特徴とする請求項１１記載の映像情報出力方法。
【請求項１３】
前記印刷出力するステップは、前記関連商品を特定するためのコード情報を含めて印刷出力することを特徴とする請求項１１記載の映像情報出力方法。
【請求項１４】
前記印刷出力するステップは、前記映像情報と共に前記変換映像情報を印刷出力し、当該映像情報に含まれる前記商品を特定するためのコード情報を含めて印刷出力することを特徴とする請求項１１記載の映像情報出力方法。
【請求項１５】
被写体の映像情報が撮影された際の撮影条件を取得するステップと、
合成される合成映像情報が格納される映像情報格納手段から所定の合成映像情報を読み出すステップと、
読み出された前記合成映像情報の状態と取得された前記撮影条件とに基づいて、取得された前記映像情報に所定の処理を施すステップと、
前記所定の処理が施された映像情報に、読み出された前記合成映像情報を合成して変換映像情報を生成するステップとを更に含む請求項１１記載の映像情報出力方法。
【請求項１６】
コンピュータに、
被写体が商品を身に着けた際の映像情報を取得する機能と、
商品情報格納手段から前記商品の色情報を取得する機能と、
取得された前記色情報を用いて、前記映像情報の中における前記商品の領域を認識する機能と、
前記商品情報格納手段から前記商品とは色彩が異なる関連商品の色情報を取得する機能と、
前記映像情報の中における前記領域の色情報を前記関連商品の色情報に置き換えて変換映像情報を生成する機能とを実現させるプログラム。
【請求項１７】
前記コンピュータに、
被写体の映像情報が撮影された際の撮影条件を取得する機能と、
合成される合成映像情報が格納される映像情報格納手段から所定の合成映像情報を読み出す機能と、
読み出された前記合成映像情報の状態と取得された前記撮影条件とに基づいて、取得された前記映像情報に所定の処理を施す機能と、
前記所定の処理が施された映像情報に、読み出された前記合成映像情報を合成して変換映像情報を生成する機能とを更に実現させる請求項１６記載のプログラム。
【発明の詳細な説明】
【技術分野】
【０００１】
本発明は、映像情報を提供する映像情報処理システム等に係り、より詳しくは、顧客などの被写体が身に着けた商品に関する映像情報を取り扱う映像情報処理システム等に関する。
【背景技術】
【０００２】
近年、コンピュータ装置やネットワーク等の情報技術の発達に伴い、アパレルメーカや高級ブティック、百貨店、衣料品専門店などの服飾業界においても、かかる技術を取り込むことによる業務の革新が求められている。特に、ネットワークを介した電子商取引が活発化するに伴い、ネットワークを介した服飾品の販売等も活発化している。
【０００３】
更に、近年、ディジタルカメラの高画質化が進み、例えばＡ４サイズ等の大判に映像情報を出力する場合においても、高い画像品質が得られるようになってきた。また、例えば電子写真方式を採用したプリンタ等の高画質化が急速に進み、銀鉛写真に近い高画質な写真画像を簡易かつ迅速に出力することが可能となっている。かかるディジタル映像技術の発展に伴い、例えば服飾業界等において、顧客に対するサービスの強化と販売促進に、これらのディジタル映像技術を活用したいとする要求が高まっている。
【０００４】
特に服飾業界にて、ネットワーク技術やディジタル映像技術を利用した公報記載の従来技術として、例えば、ファッション商品をネットワークを介して販売するネット販売システムにおいて、ユーザの個人情報、体型サイズ、体型画像を含む会員情報と、商品画像とを組み合わせ、着用イメージを作成してデータベースに登録し、登録された着用イメージを商品情報と共にユーザ端末に表示させ、注文を受ける技術が存在する(例えば、特許文献１参照。)。また、例えば、現在ユーザが所持している服飾品の情報やユーザ自身の個人情報をネットワークを介して取得し、アパレルメーカや販売店が有する服飾品の情報を用いて服飾品のコーディネート情報を作成し、 ユーザに合わせたカタログを作成する技術について開示されている(例えば、特許文献２参照。)。更に、例えば、試着室内で衣料品の試着姿を撮影し、撮影した映像を、試着した衣料品のコード情報と共にプリント出力することで、試着姿の映像による目視確認と、購入時の商品特定を容易にする技術が存在している(例えば、特許文献３参照。)。
【０００５】
【特許文献１】特開２００２−３７３２６６号公報(第７−９頁、図１)
【特許文献２】特開２００２−１６９５７８号公報(第３−４頁、図１)
【特許文献３】特開２００１−１５７２０１号公報(第３−４頁、図３,図５)
【発明の開示】
【発明が解決しようとする課題】
【０００６】
しかしながら、上記特許文献１に記載した技術は、あくまでもシミュレーションで商品画像とユーザの画像とを組み合わせているに過ぎないことから、実際に着用した場合との違和感が大きく、正確なイメージ画像を提供することができない。また、ユーザの体型サイズ情報に基づいて寸法が適切か否かを判断しているが、ユーザの体型サイズを全て適応させることは困難であり、実際の着用時と提供する画像とは大きく異なる。更に、シミュレーションにも非常に多くの時間がかかってしまう。また、上記特許文献２では、ユーザごとにカスタマイズした服飾品情報を提供することはできるが、ユーザの顔等にマッチした商品を提供することは困難である。
【０００７】
更に、上記特許文献３は、ユーザの試着映像と共に、商品情報を得られる点で非常に優れているが、提供される試着映像は、あくまでも商品を試着した映像そのものだけに限定されている。商品を試着し、例えばサイズが顧客に素晴らしく適合していた場合でも、色違いの商品等の全てを試着することは難しい。特に、商品を提供するメーカ側では色違い等の商品を備えていても、顧客が試着をした店舗に揃えられていない場合が多く、これらの色違い商品等については、物理的に試着を行うことが困難である。例えば、顧客が試着をしていない、例えば色違い等の商品について、試着したものと同様な映像を提供することができれば、顧客による購買意欲を高めることが可能となる。
【０００８】
本発明は、以上のような技術的課題を解決するためになされたものであって、その目的とするところは、被写体が商品を実際に身に着けた際の映像情報を利用して、実際には身に着けていない関連商品の映像情報を提供することにある。
また他の目的は、顧客が商品を身に着けた際の映像情報に、所定の変換を加えた変換映像情報を提供することで、顧客の購買意欲をより一層高めることにある。
【課題を解決するための手段】
【０００９】
かかる目的のもと、本発明が適用される映像情報処理装置は、所定の商品を身に着けた被写体を撮影し、映像情報を得る撮影手段と、被写体が身に着けた商品およびこの商品と関連する(例えば同一類型からなる)関連商品の商品情報が格納される商品情報格納手段とを有し、この商品情報格納手段に格納された商品情報を読み出し、撮影手段により得られた映像情報における商品の映像部分を関連商品の情報に置き換えて、変換映像情報生成手段により変換映像情報を生成する。そして、この変換映像情報生成手段により生成された変換映像情報を印刷手段によって記録媒体に印刷する。
【００１０】
ここで、この撮影手段により被写体が撮影された際の撮影条件を取得する撮影条件取得手段と、合成される合成映像情報が格納される映像情報格納手段と、映像情報格納手段から所定の合成映像情報を読み出し、この合成映像情報の状態と撮影条件取得手段により取得された撮影条件とに基づいて撮影手段により撮影された映像情報に所定の処理を施す処理手段とを更に備え、変換映像情報生成手段は、処理手段により所定の処理が施された映像情報に、読み出された合成映像情報を合成して変換映像情報を生成することを特徴とすることができる。更に印刷手段は、変換映像情報に情報を含めた関連商品を特定するための注文コード情報を、変換映像情報と同時に印刷することを特徴とすれば、関連商品の注文処理を円滑に行える点で優れている。
【００１１】
また、本発明が適用される映像情報処理システムは、被写体が商品を身に着けた際の映像情報を取得可能な映像情報取得手段と、身に着けられた商品の色情報を取得する色情報取得手段と、この色情報取得手段により取得された色情報を用いて、映像情報取得手段により取得された映像情報の中における商品の領域を認識する領域認識手段と、身に着けられた商品とは色彩が異なる関連商品の色情報を取得する関連商品色情報取得手段と、映像情報における上記領域の色情報を関連商品色情報取得手段により取得された関連商品の色情報に置き換えて変換映像情報を生成する生成手段と、生成手段により生成された変換映像情報に含まれる関連商品を特定するためのコード情報を生成するコード情報生成手段と、生成手段により生成された変換映像情報およびコード情報生成手段により生成されたコード情報を含めて印刷する印刷手段とを含む。ここで、この領域認識手段は、色情報取得手段により取得された色情報から一定範囲内にある色情報の領域を商品の領域として認識することを特徴とすることができる。また、この色情報取得手段および関連商品色情報取得手段は、商品情報が格納された商品情報データベースから色情報を取得することを特徴とすることができる。
【００１２】
他の観点から把えると、本発明が提供される映像情報処理システムは、所定の照明条件で撮影され、商品を身に着けた被写体を含む映像情報を取得可能な映像情報取得手段と、映像情報における被写体を除く背景画像を除去する背景画像除去手段と、この照明条件にて撮影された際の照明情報を取得する照明情報取得手段と、各種映像情報が格納された映像情報データベースから、合成される合成背景画像を取得する合成背景画像取得手段と、照明情報取得手段により取得された照明情報と、合成背景画像取得手段により取得された合成背景画像で想定される照明条件とから、背景画像除去手段により背景画像が除去された後の映像情報に対してフィルタ処理を施すフィルタ処理手段と、このフィルタ処理手段によりフィルタ処理が施された映像情報と、合成背景画像取得手段により取得された背景画像とを合成して変換映像情報を生成する生成手段とを含む。
【００１３】
ここで、身に着けられた商品の色情報を取得する色情報取得手段と、この色情報取得手段により取得された色情報を用いて、映像情報取得手段により取得された映像情報の中から商品の領域を認識する領域認識手段と、身に着けられた商品とは色彩が異なる関連商品の色情報を取得する関連商品色情報取得手段とを更に含み、生成手段は、映像情報における上記領域の色情報を関連商品色情報取得手段により取得された関連商品の色情報に置き換えて変換映像情報を生成することを特徴とすれば、例えば背景画像の合成と、関連商品の色情報への変換とを同時に施すことができる点で好ましい。更に、この商品および/または関連商品を特定するためのコード情報を生成するコード情報生成手段と、生成手段により生成された変換映像情報およびコード情報生成手段により生成されたコード情報を含めて印刷する印刷手段とを含むこともできる。
【００１４】
尚、これらのシステムは、筐体が１つの装置単体として形成される場合や、例えばコンピュータ装置にその殆どの機能が集約される場合等の他、ネットワークを介して各機能が分散されるものであっても構わない。
【００１５】
一方、本発明を方法のカテゴリから把えると、本発明が適用される映像情報出力方法は、被写体が商品を身に着けた際の映像情報を取得するステップと、商品情報格納手段から商品の色情報を取得するステップと、取得された色情報を用いて、映像情報の中における商品の領域を認識するステップと、商品情報格納手段から商品とは色彩が異なる関連商品の色情報を取得するステップと、映像情報の中における商品の領域の色情報を関連商品の色情報に置き換えて変換映像情報を生成するステップと、生成した変換映像情報を印刷出力するステップとを含む。
【００１６】
ここで、この領域を認識するステップは、取得された色情報から一定範囲内にある色情報の領域を商品の領域として認識することを特徴とすることができる。また、この印刷出力するステップは、関連商品を特定するためのコード情報を含めて印刷出力することを特徴としている。更にこの印刷出力するステップは、映像情報と共に変換映像情報を印刷出力し、映像情報に含まれる商品を特定するためのコード情報を含めて印刷出力することを特徴としている。
【００１７】
更に、被写体の映像情報が撮影された際の撮影条件を取得するステップと、合成される合成映像情報が格納される映像情報格納手段から所定の合成映像情報を読み出すステップと、読み出された合成映像情報の状態と取得された撮影条件とに基づいて、取得された映像情報に所定の処理を施すステップと、この所定の処理が施された映像情報に、読み出された合成映像情報を合成して変換映像情報を生成するステップとを含むように構成すれば、商品の試着イメージをより強化させることが可能となる。
【００１８】
一方、本発明は、ネットワークを介してシステムを構成するサーバやクライアント、店舗等に用いられるコンピュータ装置にて、所定の機能を実現させるプログラムとして機能させることができる。即ち、本発明が適用されるプログラムは、コンピュータに、被写体が商品を身に着けた際の映像情報を取得する機能と、商品情報格納手段からこの商品の色情報を取得する機能と、取得された色情報を用いて、映像情報の中における商品の領域を認識する機能と、商品情報格納手段からこの商品とは色彩が異なる関連商品の色情報を取得する機能と、映像情報の中における領域の色情報を関連商品の色情報に置き換えて変換映像情報を生成する機能と、被写体の映像情報が撮影された際の撮影条件を取得する機能と、合成される合成映像情報が格納される映像情報格納手段から所定の合成映像情報を読み出す機能と、読み出された合成映像情報の状態と取得された撮影条件とに基づいて、取得された映像情報に、例えばフィルタ処理等の所定の処理を施す機能と、この所定の処理が施された映像情報に、読み出された合成映像情報を合成して変換映像情報を生成する機能とを実現させる。
【００１９】
尚、これらのプログラムをコンピュータに対して提供する際に、例えばコンピュータ装置にインストールされた状態にて提供される場合の他、コンピュータに実行させるプログラムをコンピュータが読取可能に記憶した記憶媒体にて提供する形態が考えられる。この記憶媒体としては、例えばＤＶＤやＣＤ−ＲＯＭ媒体等が該当し、ＤＶＤやＣＤ−ＲＯＭ読取装置等によってプログラムが読み取られ、ＨＤＤやフラッシュＲＯＭ等にこのプログラムが格納され、ＣＰＵにて実行される。また、これらのプログラムは、例えば、プログラム伝送装置からネットワークを介して提供される場合もある。
【発明の効果】
【００２０】
本発明によれば、被写体が商品を実際に身に着けた際の映像情報を利用して、実際には身に着けていない関連商品の映像情報を提供することが可能となる。
【発明を実施するための最良の形態】
【００２１】
以下、添付図面を参照して、本発明の実施の形態について詳細に説明する。
[実施の形態１]
図１は、本実施の形態が適用される映像情報処理システムの全体構成を示した図である。この図１では、例えば衣料品の販売店舗等に置かれる映像情報処理装置として構成された例を示している。図１に示す映像情報処理システム(映像情報処理装置)は、例えば試着室に配置され、商品を試着した顧客(商品を身に着けた被写体)を撮影してディジタル映像を取得する撮影手段であるディジタルカメラ１１、顧客に提供される顧客専用の試着カタログに含まれるコード情報を読み取るスキャナ１２、顧客に提供される顧客専用の試着カタログを用紙等の記録媒体にプリント出力する印刷手段として、例えばレーザプリンタからなるプリンタ１３を有している。また、各種格納手段として、例えば、外付けＨＤＤ(ハードディスクドライブ)や外付けＭＯ(Magneto Optical Disk)などの補助記憶装置等を用いてデータが格納される各種データベースを備えている。データベースとしては、顧客に関する各種情報が格納されている顧客情報データベース(顧客情報ＤＢ)２１、販売される各種商品の情報が格納される商品情報データベース(商品情報ＤＢ)２２、試着カタログを作成する際に用いられる各種映像情報等が格納される映像情報データベース(映像情報ＤＢ)２３を備えている。また、注文指示に基づいて発注をかける等に用いられる各種情報が格納された注文用データベース(ＤＢ)２４を備えている。更に、試着カタログの作成やコード情報の認識等の処理を行うコンピュータ装置として、ＰＣ(パーソナルコンピュータ)３０を有している。本実施の形態では、商品情報データベース２２に、色違い商品等の関連商品の映像を形成するための各種情報が含まれている。尚、被写体としては、人間の他、犬や猫などのペット等であっても構わない。ペット等が商品を身に着けた映像についても同様に適用することができる。
【００２２】
顧客情報データベース２１は、顧客別に、顧客の属性情報である顧客の住所、氏名、年齢、職業、性別、各種サイズ(身長、体重、バスト、ウェスト、ヒップ等のサイズ等)、顧客の嗜好(好みの色、柄、デザイン、形状)、趣味等の他、例えば決済方法などの各種データが例えばテーブル情報として格納されている。これらの顧客情報は、システムのログイン時に認証される。登録は、実施の形態２(後述)で示すようなネットワークに接続されている場合には、そのネットワークを介して登録が行われる。図１に示すような販売店舗等に置かれる場合には、例えばＰＣ３０等を介して店頭入力される。この登録データは、その用途によって取捨選択される。
【００２３】
商品情報データベース２２には、例えば、服飾品の製造や提供を行うアパレルメーカからの供給服飾品に関する提供情報等が格納される。格納されるデータ(商品情報)は、商品コードに対応付けられた、サイズや色、材質、価格等が異なる商品の各種情報が含まれる。また、商品コードが生成される前は、例えば各アパレルメーカ等の供給元で管理される所定の識別情報に基づいて、商品情報が格納されている。この商品情報データベース２２には、関連商品の関連性が認識でき、また、例えば関連情報ビット等により、これらが識別できる状態で、これら関連商品の商品情報が格納されている。商品情報としては、例えば、Ｌａｂ(ＣＩＥ Ｌ＊ａ＊ｂ＊)で表される商品の色情報や、柄の情報が含まれる。例えばＰＣ３０は、特定の商品が指定された場合に、商品情報データベース２２に設けられる例えば関連情報ビットを参照して、関連商品を特定することが可能である。商品情報データベース２２は、関連情報が特定された後、この関連商品の有する例えば色情報や柄の情報等が提供可能に構成されている。
【００２４】
映像情報データベース２３には、例えば顧客専用カタログを発行する際にカタログに貼り付けられる各種イメージ画像が格納されている。例えば表紙に貼り付けられる写真や、添付される一般カタログの商品画像、背景画像、カタログを飾るイラスト等の各種情報が含まれる。背景画像としては、例えば、屋内であれば、披露宴会場、ラウンジバー、リビングなど、屋外であれば、海や山、街などがあり、これらの映像情報が映像情報データベース２３に格納される。この背景画像は、その背景画像の明るさを、例えばＰＣ３０が認識できるような状態で映像情報データベース２３に格納されている。
【００２５】
注文用データベース２４には、注文番号に対応して、顧客ＩＤ、商品コード、商品のカラー、模様、サイズ等が対応付けられて保管されている。カタログ発行店舗では、例えばＰＣ３０を用いて注文用データベース２４にアクセスされ、個人ＩＤ、試着カタログナンバー、各シートに記載した商品ナンバーより、商品コード、カラー、サイズ等への変換テーブルが管理されている。この注文用データベース２４は、注文コードと商品との関係が明らかにされており、この注文用データベース２４に格納された情報を用いることで、例えば、試着した商品に関連する関連商品を一意に特定することが可能となる。
【００２６】
ＰＣ３０は、試着カタログ作成処理３１、コード情報認識処理３２を実行可能に構成されている。
試着カタログ作成処理３１は、プリンタ１３に出力される顧客専用カタログを生成する処理を実行している。更にその機能として、ディジタルカメラ１１等から取得した試着情報を処理する試着情報処理部４１、例えば試着した商品の商品情報を商品情報データベース２２から取得して処理する商品情報処理部４２、実際に試着をし、ディジタルカメラ１１によって撮影された顧客に関する情報を顧客情報データベース２１から取得する顧客情報処理部４３を備えている。また、試着情報処理部４１や商品情報処理部４２、顧客情報処理部４３等の処理結果から、顧客専用カタログに形成されるコード情報を生成するコード情報生成部４４、ディジタルカメラ１１から得られた映像情報を処理する映像情報処理部４５、コード情報生成部４４で生成されたコード情報や、映像情報処理部４５にて処理された映像情報について、カタログ上のレイアウト処理を施すレイアウト処理部４６を備えている。
【００２７】
コード情報認識処理３２では、顧客専用の試着カタログに含まれるコード情報について、例えばスキャナ１２から読み込まれたデータに基づく認識処理が実行される。更にその機能として、注文コードを認識する注文コード認識部３３、商品コードを認識する商品コード認識部３４、顧客コードを認識する顧客コード認識部３５を備えている。また、注文処理を行う注文処理部３６、商品情報を管理する商品情報管理部３７、顧客情報を管理する顧客情報管理部３８を備えている。顧客コード認識部３５により認識された顧客情報は、顧客情報管理部３８にて管理され、例えば、新たな購入依頼があった場合には、かかる情報が顧客情報データベース２１に格納される。この顧客情報管理部３８は、顧客による試着の実績と実際の注文との関連情報を顧客情報データベース２１に格納する機能を有している。また、商品コード認識部３４により、例えば購入希望のあった商品情報が認識された場合には、商品情報管理部３７によって商品が特定され、その商品の各種情報が商品情報データベース２２に格納される。更に、購入された商品の情報は、商品情報管理部３７により、ネットワーク等を介して商品の供給元等に提供されるように構成することも可能である。
【００２８】
次に、試着カタログ作成処理３１によって生成される顧客専用の試着カタログについて説明する。
図２(ａ),(ｂ)、および図３、図４は、本実施の形態にて生成される試着カタログの一例を示した図である。図２(ａ)は、表紙３０１を示しており、顧客専用の試着カタログのトップシートとなる。図２(ｂ)は基本ページ(シート)３０２の例であり、顧客が試着した映像そのままの試着画像３２０が印刷されている。図３は、オプションページ３０３として、試着した商品の色違い、柄違い等からなる関連商品への変換試着画像３２１が印刷された例が示されている。図４は、オプションページ３０４として、試着した映像に対してシーン(図の例では背景映像)を換えて画像が変換された変換試着画像３２２の例を示している。試着カタログは、図２(ａ),(ｂ)、および図３、図４に示すような複数のシートによって、冊子が形成される。この試着カタログは、原則として、カタログナンバーや顧客コード(後述)が全て同一とされている。商品情報等は、冊子内の各ページで異なっていても構わない。
【００２９】
図２(ａ)に示す表紙３０１には、書誌的事項３１０の他、顧客コード３１１が記載されている。この顧客コード３１１には、顧客の個人ＩＤの他、試着カタログナンバー等を含めることが可能である。図２(ｂ)に示す基本ページ３０２には、ディジタルカメラ１１によって撮影された試着画像３２０と共に、書誌的事項３１０、顧客コード３１１、商品コード３１２、および注文コード３１３が記載される。商品コード３１２には、顧客が認識できる商品番号が主たる情報として含まれている。注文コード３１３には、顧客が認識できる商品の注文番号が主たる情報として含まれ、試着時の情報(日時、店舗名)を含めることもできる。また、同一商品であっても色や柄等が異なる場合に、それらの内容を特定するためにも用いられる。更に、場合によっては、試着をした顧客に対して接客対応をした店員の個人ＩＤ等をも含めることが可能である。このように、図２(ｂ)に示す基本ページ３０２等の各ページは、試着画像３２０と共に、注文コード３１３に含まれる商品注文番号が付加されており、１ページの商品シートとして機能している。
【００３０】
図３に示すオプションページ３０３の例では、図２(ｂ)に示す、顧客が実際に商品を試着した映像から、商品色の変換等の画像処理が施された例が示されている。変換されるものは、商品情報データベース２２に格納されている関連商品(試着した商品に対する関連商品)の色や柄であり、複雑な柄ものの場合には処理が難しい部分があるが、色だけの違いや、線やワンポイント等の簡単な絵柄であれば、比較的容易に画像変換を施すことができる。図３では、４種類の変換試着画像３２１が示されている。それぞれの変換試着画像３２１は、商品情報データベース２２に格納されている商品に対応しており、各々、注文コード３１３によって特定される注文用データベース２４によって、関連商品の色や柄もの等の種類が一意に決定される。また、各変換試着画像３２１には、顧客がその内容を認識し易いように、商品説明等の書誌的事項３１０が加えられる。
【００３１】
図４に示すオプションページ３０４の例では、顧客が実際に商品を試着した映像から、背景処理がなされて変換試着画像３２２が形成された例が示されている。この図４に示す変換試着画像３２２の例では、商品色の変換等の画像処理も施されている。ここでは、例えば、ラウンジバー等の屋内映像、山や湖等や、街中等の屋外のシーンが選定されている。各変換試着画像３２２には、顧客がその内容を認識し易いように、商品説明等の書誌的事項３１０が加えられると共に、注文コード３１３によって特定される注文用データベース２４によって、映像化されている商品を一意に決定することができる。このように、顧客の利用シーンを想定して背景画像を合成することで、顧客は、試着した商品の利用イメージが把握し易くなる。例えば、水着を試着した顧客に対しては、海辺やプールサイドでの映像を合成する等である。
【００３２】
また、図２(ｂ)および図３、図４に示すようなシートには、試着画像と共に、注文コード３１３が付加されており、１ページの注文シートとして完成している。例えば店舗では、スキャナ１２や図示しないバーコードリーダ等のコード読み込み装置(コードリーダ)を用いてこれらのコードをスキャンすることで、色や柄等が特定される商品を一意に選択することができる。図３および図４に示すように、複数の注文コード３１３が１ページに設けられている場合には、読み取った際に、読み取ったコード情報を例えばディスプレイ(後述)に表示し、店舗のオペレータ(店員)等に選択させるようにすればよい。
【００３３】
尚、顧客コード３１１、商品コード３１２、注文コード３１３の各コード情報は、データベース内に格納された情報を特定するだけの単純な機能として把握することも可能である。例えば、顧客コード３１１は顧客情報データベース２１に格納された顧客情報を特定し、商品コード３１２は商品情報データベース２２に格納された商品情報を特定し、注文コード３１３は注文用データベース２４に格納されている注文情報を特定するものとすることができる。勿論、各コード情報に含められる情報量が多い場合には、各コード情報にて完結できる顧客情報、商品情報、および注文情報を提供できるように構成しても構わない。
【００３４】
また、これらのコード情報は、装置が認識できる情報としてバーコード情報を用いることが可能であるが、このバーコード以外に、２次元コードであるＱＲコード(Quick Response)などを用いることもできる。このように、情報を表現するための形式は、任意のものを採用することが可能であるが、一見して判らないコードにしてセキュリティを高めることもできる。また、顧客が認識できる情報として数値も出力することができる。更に、図２(ａ),(ｂ)および図３、図４に示すシートを冊子として顧客専用の試着カタログを生成する際に、一般カタログ(図示せず)を添付することも可能である。この一般カタログは、顧客が写っていない、一般商品の商品画像と、商品説明および商品コード３１２とから構成されていることが好ましい。この一般カタログは、例えば商品情報データベース２２と映像情報データベース２３から読み出された情報に基づき、映像情報処理部４５によって生成される。更に、図２(ａ),(ｂ)および図３、図４では、コード情報として、桁数の多いバーコード情報を用いているが、顧客による電話注文やネット注文の便宜を図るためには、３桁〜４桁程度の簡単なコード情報とすることが望ましい。
【００３５】
次に、主にＰＣ３０の試着カタログ作成処理３１にて実行される顧客専用の試着カタログの発行について説明する。
図５は、試着カタログの発行処理を示したフローチャートである。図１に示す顧客情報処理部４３では、まず、顧客情報データベース２１より顧客情報が取得される(ステップ１０１)。例えば、電話番号や氏名(あいうえお順)の入力、ＩＤカード読み込み等で顧客を指定すると、顧客情報データベース２１に顧客情報が格納されている場合には、顧客情報処理部４３では、これらの指定によって顧客情報を取得することができる。また、試着映像を撮る顧客の情報が顧客情報データベース２１に存在しない場合には、顧客情報処理部４３は、ＰＣ３０上のディスプレイ(後述)に、顧客情報のない旨を表示し、オペレータ(例えば店員)に対して顧客情報の入力を促す。顧客情報の入力があった際には、顧客情報処理部４３は、この顧客情報を顧客情報データベース２１に登録する。
【００３６】
次に、ディジタルカメラ１１により顧客が商品を試着した姿が撮影され、撮影された試着画像がＰＣ３０内に入力される(ステップ１０２)。試着情報処理部４１では、商品のタグ等に着いているバーコードやＩＣタグ等によって、商品情報を入力すると共に、例えば、Ｌａｂ(ＣＩＥ Ｌ＊ａ＊ｂ＊)からなる商品色情報が取得される(ステップ１０３)。また、試着情報処理部４１では、試着画像を撮影した際の照明情報が取得される(ステップ１０４)。ここで、オプション指定がなされているか否かが判断される(ステップ１０５)。オプション指定がなされていない場合には、通常の処理として、まず、図２(ａ)に示す表紙３０１が生成され(ステップ１０６)、レイアウト処理部４６によってカタログ画像のレイアウト処理が行われる(ステップ１０７)。また、例えば商品情報処理部４２によって試着固有番号が付与され(ステップ１０８)、コード情報生成部４４によって注文コード３１３が生成される(ステップ１０９)。その後、プリンタ１３により試着カタログが印刷されて(ステップ１１０)、処理が終了する。
【００３７】
一方、ステップ１０５にて、オプション指定がある場合には、図２(ａ)に示す表紙３０１が生成された(ステップ１１１)後、例えば、ステップ１０４にて取得された照明情報と、ステップ１０３にて取得された商品色情報に基づき、映像情報処理部４５では、商品色の変換等の商品画像変換処理が実行される(ステップ１１２)。また、映像情報処理部４５は、映像情報データベース２３に格納されている映像情報を用いて、試着画像の背景処理を行い、ステップ１１２で実行された商品画像変換がなされた商品、顧客、背景の合成を行う(ステップ１１３)。その後、レイアウト処理部４６によってカタログ画像のレイアウト処理が行われる(ステップ１１４)。また、例えば商品情報処理部４２によって試着固有番号が付与され(ステップ１１５)、コード情報生成部４４によって注文コード３１３が生成される(ステップ１１６)。そして、プリンタ１３により試着カタログが印刷されて(ステップ１１７)、処理が終了する。尚、コード情報生成部４４によって生成された注文コード３１３は、注文用データベース２４へ登録され、顧客からの注文処理時に用いられる。
【００３８】
次に、ステップ１１２に示す商品画像変換処理について説明する。
図６(ａ),(ｂ)は、商品画像変換処理の中で、商品色変換時の処理を説明するための図である。図６(ａ)は、映像情報処理部４５にて実行される商品色変換処理の流れを示し、図６(ｂ)は、赤色の服から青色の服への変更例を、ａ＊ｂ＊の座標系(ａ,ｂ)によって示している。横軸はａ(ａ＊値)、縦軸はｂ(ｂ＊値)である。図６(ａ)に示すように、商品色変換処理では、まず、商品情報データベース２２に格納された商品情報から、商品色情報(Ｌ＊ａ＊ｂ＊)が入力される(ステップ１２１)。次に、例えばＲＧＢの表色系で取得された試着画像データに対して、Ｌ＊ａ＊ｂ＊変換が施される(ステップ１２２)。次に、Ｌ＊ａ＊ｂ＊変換された試着画像データの中から、ａ＊ｂ＊の比が一定範囲にある領域を商品として認識する(ステップ１２３)。図６(ｂ)に示すグラフでは、例えば、赤部分の破線で示す一定範囲にある領域が商品として認識される。
【００３９】
その後、試着画像データにおける商品部分のａ＊ｂ＊値が、色違い商品のａ＊ｂ＊値に、比を維持して割り当てられる(ステップ１２４)。即ち、図６(ｂ)に示すように、商品情報データベース２２に格納されている試着商品の商品データと色違い商品の商品データとの色情報を参照して、試着商品のａ＊ｂ＊値(ａ１,ｂ１)が、色違い商品のａ＊ｂ＊値(ａ２,ｂ２)に変換される。例えば、商品データのａ＊ｂ＊値(ａ１,ｂ１)と、試着画像撮影時の商品のａ＊ｂ＊情報(ａＳ,ｂＳ)の比を求め、色違い商品のａ＊ｂ＊値(ａ２,ｂ２)に比を適用する。ここでは、各々の原点からの距離に比例させるようにして変換がなされる。次に、色変え前後の比に応じて、Ｌ＊が配分される(ステップ１２５)。このＬ＊の配分は、商品情報データベース２２に格納されている商品データのＬ＊値(Ｌ１)と、試着画像撮影時の商品のＬ＊情報(ＬＳ)の比を求め、色違い商品のＬ＊値(Ｌ２)に比を適用する。以上のようにして、商品色変換時の処理が実行される。
【００４０】
次に、ステップ１１３に示す、試着画像の背景処理と合成について説明する。
図７(ａ),(ｂ)は、試着画像の背景処理と合成の処理を説明するための図である。図７(ａ)は、映像情報処理部４５にて実行される背景付加処理の流れを示し、図７(ｂ)は、試着画像と背景画像とを合成する処理例を２つ挙げている。まず、映像情報処理部４５では、図７(ｂ)に示すように、ディジタルカメラ１１から取得された試着画像から背景の除去が実行される(ステップ１３１)。また、試着情報処理部４１にて、例えばディジタルカメラ１１にて行われた撮影条件や、例えば試着情報処理部４１にて予め取得されている情報等に基づいて、撮影時の照明条件が取得される(ステップ１３２)。把握される照明条件としては、例えば、蛍光灯、白熱灯、太陽光等であり、また、照度等も把握される。尚、試着画像背景処理に際して、予め試着室または撮影背景は、固定した環境にすることが好ましい。例えば、白やグレイの背景に固定されると、背景処理が容易となる。
【００４１】
ここで、映像情報処理部４５では、付加する背景情報が映像情報データベース２３から取得される(ステップ１３３)。尚、この取得は、例えば、背景情報をサムネイル化して、ディスプレイ等に一覧表示し、その中から任意に選ばれたものを認識することでなされる態様が考えられる。また、例えば、商品毎に予め定められた背景情報を映像情報処理部４５が選択するように構成されていても良い。例えば、アウトドア商品であれば山岳風景、水着であれば海辺の情景、フォーマルな商品であればパーティ会場等、商品毎に、その商品がイメージされる利用状況を予め定めることも有効である。
【００４２】
そして、映像情報処理部４５では、背景画像の明るさと背景画像で想定される照明条件とに応じたカラーフィルタ処理が、試着画像に適用される(ステップ１３４)。図７(ｂ)には、背景画像として、「ラウンジバーなど」と「屋外」の２つが例として挙げている。例えば「ラウンジバーなど」の背景の場合には、照明が暗く、黄色っぽいケースが考えられる。そこで、試着画像に対して黄色っぽい照明条件に応じたフィルタ処理がかけられる。また、「屋外」の場合には、例えば鮮やかになるようなフィルタ処理がかけられる。このようにしてフィルタ処理がかけられた試着画像と、背景画像とが合成されて(ステップ１３５)、試着カタログに貼り付けられる変換試着画像３２２が生成される。
尚、試着画像と背景画像との合成に際して、図６に示したような商品の色変換等を同時に施すことも可能である。図６および図７に示すような処理を共に施すことで、図４に示すような変換試着画像３２２を得ることができる。
【００４３】
次に、主にＰＣ３０のコード情報認識処理３２にて実行される、試着カタログからのコード情報の認識処理について説明する。
図８は、試着カタログからのコード情報認識のための処理を示したフローチャートである。ＰＣ３０は、例えばスキャナ１２を用いて試着カタログを読み込む(ステップ２０１)。次に、商品コード認識部３４によってコードの認識が行われる(ステップ２０２)。商品コード３１２が認識される場合には(ステップ２０３)、その商品コード３１２によって識別される商品情報が商品情報データベース２２から取得される(ステップ２０４)。
また、注文コード認識部３３によって注文コード３１３が認識される場合には(ステップ２０５)、その注文コード３１３によって識別される注文情報が注文用データベース２４から取得される(ステップ２０６)。このようにして取得された商品情報と注文情報とに基づいて、商品の特定がなされる(ステップ２０７)。より具体的には、例えば、図３および図４に示すような変換試着画像３２１,３２２に対応して設けられている注文コード３１３の中から、１つが指定して認識されると、注文コード認識部３３は、認識された注文コード３１３を用いて、注文用データベース２４から注文情報を読み出し、商品情報データベース２２に格納される商品情報を用いて、特定の色や柄、サイズ等からなる一の商品を特定する。
一方、顧客コード認識部３５によって顧客コード３１１が認識される場合には(ステップ２０８)、その顧客コード３１１によって識別される顧客情報が顧客情報データベース２１から取得される(ステップ２０９)。
【００４４】
以上のようにして、商品の注文処理が行われる際に、商品情報管理部３７は、商品の売上実績、具体的な商品の種類(色、サイズ等)等の商品情報を商品情報データベース２２に格納すると共に、読み出された顧客情報に基づいて、商品情報の管理を行う(ステップ２１０)。また、顧客情報管理部３８は、試着して実際に購入した商品と顧客との関係や、変換試着画像３２１,３２２の提供に対する反応状況を把握し、例えば顧客ＩＤ等で区別される顧客情報データベース２１に、具体的な顧客の動向を記憶する等、所定の顧客情報の管理を行う(ステップ２１１)。これによってコード情報の認識処理が終了する。尚、この顧客情報データベース２１に記憶される顧客情報としては、一般的な顧客の属性情報や顧客の商品嗜好の他に、例えば、実際の試着の日時と注文の日時とのタイムラグ、試着数と購入実績との関係、撮影方法と購入実績との関係、試着映像の提供方法と購入実績との関係等の他、変換試着画像３２１,３２２に対する反応についても顧客毎に管理される。
【００４５】
このように、本実施の形態では、商品の試着画像３２０に加え、あたかも関連商品を試着したかのように見せるための変換試着画像３２１,３２２を生成して、顧客別の試着カタログを提供するように構成した。「顧客が試着をする(身に着けた)」ということは、試着したその商品について、顧客の興味が非常に高いことが予測される。特に、その試着結果を映像で残すことに顧客が同意した場合には、その試着した商品に対する満足度がかなり高いことが予想される。したがって、このような試着画像３２０を含む試着カタログを提供することは、販売促進に有用なものと言える。また、このような満足度の比較的高い試着した商品に対し、色違いや簡単な柄違い等を加えた変換試着画像を試着カタログに加えている。即ち、試着した商品と同一類型の商品(関連商品)について、実際に試着をしていなくても試着しているのと同様な画像を提供している。これによって、販売促進効果をより高めることが可能である。尚、この変換試着画像３２１,３２２の商品に対する注文があった場合に、顧客情報管理部３８では、顧客の服飾商品に対する好み等を把握することが可能となり、かかる情報は、その後の販売戦略の策定に有効なものとなる。
【００４６】
[実施の形態２]
実施の形態１では、図１に示すような販売店舗等に置かれる映像情報処理システムを基に説明した。本実施の形態では、インターネット等のネットワークを介した映像情報処理システムについて説明する。
尚、実施の形態１と同様の機能については、同様の符号を用い、ここではその詳細な説明を省略する。
【００４７】
図９は、ネットワーク９９を介した映像情報処理システムの全体構成を示した図である。図９に示す例では、図１に示した店舗等に設けられる機能を管理サーバ６０と、試着映像を撮影した販売店舗等に配置される端末である店舗装置７０、および試着をした顧客の端末であるユーザ装置８０に一部分散させ、ネットワーク９９を介して連結している点に特徴がある。また、ネットワーク９９には、例えば商品を提供するアパレルメーカ等の商品提供会社サーバ９０が接続されている。管理サーバ６０、店舗装置７０、ユーザ装置８０、および商品提供会社サーバ９０は、ＰＣ等のコンピュータ装置を用いることができる。また、このネットワーク９９は、インターネットなどの公的、広域的なネットワークでもローカルなネットワークでも良い。また、企業内イントラネットのような閉じた形態で本実施形態のシステムを構築することもできる。
【００４８】
図９に示す例では、管理サーバ６０は、例えば店舗装置７０や商品提供会社サーバ９０とネットワーク９９を介した送受信を実行する送受信部６１、商品情報や顧客情報等を管理する管理部６２、また、図１に示した試着カタログ作成処理３１と同様な機能を有する試着カタログ作成処理６３を備えている。更に、管理サーバ６０には、図１に示したものと同様な各種データベースとして、顧客情報データベース２１、商品情報データベース２２、映像情報データベース２３、および注文用データベース２４が備えられている。尚、これらのデータベースは、管理サーバ６０に直接、接続されていない場合もあり、例えば、ネットワーク９９を介した他のデータベースサーバに設けられていてもよい。また、各データベースが複数のサーバに分散されていても構わない。
【００４９】
一方、店舗装置７０は、例えば管理サーバ６０やユーザ装置８０とのネットワーク９９を介した送受信を実行する送受信部７１、ディジタルカメラ１１から得られた顧客の試着映像(試着画像３２０)を入力する映像情報入力部７２、顧客情報を入力する顧客情報入力部７３、スキャナ１２から読み込まれた各種コードを認識するコード認識部７４を備えている。また、例えばコード情報を入力するためのスキャナ１２や、試着カタログを出力するためのプリンタ１３を備えている。図９に示す例では、図１に示したコード情報認識処理３２の注文処理部３６の一部と、商品情報管理部３７、顧客情報管理部３８の各管理機能を管理サーバ６０へ移し、注文コード認識部３３、商品コード認識部３４、顧客コード認識部３５の各コード認識機能をコード認識部７４に残している。
ユーザ装置８０には、例えばコード情報を入力するためのスキャナ８１や、試着カタログを出力するためのプリンタ８２等を接続可能に構成されている。
商品提供会社サーバ９０は、現在、提供している商品の各種情報、コード情報と、そのコードに含まれる商品のサイズや色情報等、新商品の情報、各種サービス情報等を提供している。
【００５０】
図１０は、図９に示すネットワーク９９を介した映像情報処理システムの処理の中で、試着カタログの出力処理を示したフローチャートである。店舗装置７０では、まず、ディジタルカメラ１１を用いて顧客の試着映像(試着画像３２０)が撮影され(ステップ３０１)、店舗装置７０内に取り込まれる。また、実際に試着した商品の商品情報や試着した顧客の顧客情報が、スキャナやキーボード、コードリーダ(図示せず)等を介して店舗装置７０内に入力される(ステップ３０２)。その後、店舗装置７０は、送受信部７１からネットワーク９９を介し、管理サーバ６０に対して試着画像３２０、および入力された各情報を送信する(ステップ３０３)。また、このとき、顧客からの変換試着画像を希望する旨のオプション指定を受けることが可能である。
【００５１】
管理サーバ６０では、送受信部６１によって、試着画像３２０および各情報が受信される(ステップ３０４)。オプション指定がある場合には、変換される商品の情報(例えば、Ｌ＊ａ＊ｂ＊等の色情報)が取得される。これらの情報は、商品情報データベース２２に予め格納されている場合の他、例えば商品提供会社サーバ９０から、ネットワーク９９を介して必要に応じて取得される場合もある。取得された商品の情報は、商品情報データベース２２に順次、格納される。
【００５２】
試着カタログ作成処理６３では、受信した試着画像３２０および各種データベースに格納された各情報を用いて試着カタログの作成がなされる(ステップ３０５)。この試着カタログは、図２に示した表紙３０１と基本ページ３０２の他、オプション指定がある場合には、図３や図４に示すような変換試着画像３２１,３２２を含むオプションページ３０３,３０４を含めて生成される。その後、作成された試着カタログに関する情報が各種データベースに格納される。即ち、顧客コード３１１に対応した商品コード３１２や注文コード３１３等の各情報が、顧客情報データベース２１や商品情報データベース２２、注文用データベース２４等のデータベースに格納される(ステップ３０６)。例えば、オプション指定があり関連商品が映像化されている場合には、各々の変換試着画像３２１,３２２に注文コード３１３が付与され、この注文コード３１３に対応した注文情報が注文用データベース２４に格納される。その後、作成された試着カタログは、送受信部６１により、ネットワーク９９を介して送信される(ステップ３０７)。
【００５３】
店舗装置７０にて試着カタログが受信されると(ステップ３０８)、店舗装置７０では、プリンタ１３を用いた試着カタログのプリント出力がなされる(ステップ３０９)。出力された試着カタログは、そのまま顧客に手渡されるか、または、郵送等によって顧客の手元に渡される。尚、この試着カタログは、店舗装置７０に送信されることが一般的であるが、予めユーザ装置８０のメールアドレス等が認識され、更にユーザ装置８０を操作する顧客が希望する場合には、ユーザ装置８０に直接、送信される。即ち、ユーザ装置８０にて試着カタログが受信されると(ステップ３１０)、ユーザ装置８０に接続されたプリンタ８２により、試着カタログがプリント出力される(ステップ３１１)。以上のような処理によって、顧客は、変換試着画像３２１,３２２を含む試着カタログを取得することができる。
【００５４】
図１１は、図９に示すネットワーク９９を介した映像情報処理システムの処理の中で、コード情報の認識処理を示したフローチャートである。例えば、顧客が店舗を訪れ、試着した商品について注文を行う場合に、店舗装置７０では、例えば、スキャナ１２を用いて試着カタログの読み込みが行われる。または、例えば所定のコードリーダを用いてコード情報が読み込まれる(ステップ４０１)。店舗装置７０のコード認識部７４は、試着カタログから顧客コード３１１、商品コード３１２、および注文コード３１３を認識し(ステップ４０２)、認識したコード情報を、送受信部７１からネットワーク９９を介して管理サーバ６０に向けて送信する(ステップ４０３)。尚、注文作業は、ユーザ装置８０から行うことも可能である。例えば、試着をした商品や、変換試着画像３２１が生成された色違いの商品に対して注文しようとする顧客は、例えば、ユーザ装置８０のブラウザを用いて管理サーバ６０のＵＲＬにアクセスする。そして、管理サーバ６０のサイトからの指示に基づき、ログインと認証等を経て、例えば注文コード３１３に付与されている番号を入力して、コード情報を送信すればよい(ステップ４０４)。即ち、顧客が認識可能な情報である試着カタログ内の注文ナンバー等を入力することで、例えば色違い商品等についても簡易に注文することができる。
【００５５】
管理サーバ６０は、送受信部６１によりこれらのコード情報を受信し(ステップ４０５)、顧客情報データベース２１、商品情報データベース２２および注文用データベース２４から各情報を取得する(ステップ４０６)。そして、例えば管理部６２にて、顧客コード３１１を頼りに取得した顧客情報によって、顧客別の各種処理等が行われ、また商品購入実績等が管理されて、管理結果が顧客情報データベース２１に格納される(ステップ４０７)。更に、例えば管理部６２にて、注文情報に基づく注文処理が実行される。このとき、管理サーバ６０では、商品情報管理が行われ、管理結果が商品情報データベース２２に格納される(ステップ４０８)。その後、管理サーバ６０は、送受信部６１により、ネットワーク９９を介して、処理結果を店舗装置７０およびユーザ装置８０に送信する。店舗装置７０では、送受信部７１によってかかる処理結果が受信され(ステップ４０９)、また、ユーザ装置８０から直接、注文がなされている場合には、処理結果がユーザ装置８０にも送信される(ステップ４１０)。また、顧客から注文があった商品情報は、その商品を提供している商品提供会社サーバ９０へも送信され、かかる情報提供は、次の商品開発や製造等に活用される(ステップ４１１)。
【００５６】
次に、図１に示したＰＣ３０や、図９に示した管理サーバ６０、店舗装置７０、ユーザ装置８０、および商品提供会社サーバ９０を構成するコンピュータ装置のハードウェア構成について説明する。
図１２は、これらのコンピュータ装置に適用可能なハードウェアアーキテクチャの一例を示した図である。図１２に示すコンピュータ装置は、演算手段であるＣＰＵ(Central Processing Unit：中央処理装置)２０１、ＣＰＵ２０１やメモリーモジュール等の各種機器を接続するＭ/Ｂ(マザーボード)チップセット２０２、このＭ/Ｂチップセット２０２およびＣＰＵバスを介してＣＰＵ２０１に接続されたメインメモリ２０３、Ｍ/Ｂチップセット２０２およびＡＧＰ(Accelerated Graphics Port)を介してＣＰＵ２０１に接続されたビデオカード２０４を備えている。また、ビデオカード２０４には表示装置であるＬＣＤ等のディスプレイ２２０が接続されている。
【００５７】
更に、ＰＣＩ(Peripheral Component Interconnect)バスを介して各種装置がＭ/Ｂチップセット２０２に接続されており、このＰＣＩバスからブリッジ回路２０７およびＩＳＡ(Industry Standard Architecture)バスなどの低速なバスを介して各種装置がＭ/Ｂチップセット２０２に接続されている。ＰＣＩバスを介して接続されるものとしては、例えばシリアルポート２０８を介してモデム２２１が接続され、パラレルポート２０９を介してプリンタ２２２が接続されている。また、ＳＣＳＩ(Small Computer System Interface)コントローラ２１０を介してハードディスク装置(ＨＤＤ)２２３やスキャナ２２４が接続されている。また、ネットワークインターフェイス２１１が接続されている。低速バスには、フロッピーディスクドライブ２１２、およびキーボード/マウス２１３が接続されている。
【００５８】
尚、図１２は、図１および図９の実施形態を実現するコンピュータ装置のハードウェアアーキテクチャを例示するに過ぎず、本実施の形態を適用可能であれば、他の種々の構成を取ることができる。例えば、ビデオカード２０４を設ける代わりに、ビデオメモリのみを搭載し、ＣＰＵ２０１にてイメージデータを処理する構成としても良い。また、外部記憶装置として、ＡＴＡ(AT Attachment)やＳＣＳＩコントローラ２１０などのインターフェイスを介して、ＣＤ−Ｒ(Compact Disc Recordable)やＤＶＤ−ＲＡＭ(Digital Versatile Disc Random Access Memory)のドライブ等を設けることも可能である。更に、図１および図９に示すディジタルカメラ１１は、シリアルポート２０８である例えばＵＳＢ(Universal Serial Bus)等を介してコンピュータ装置に接続される。また、図９に示す店舗装置７０から管理サーバ６０へのアクセスや、ユーザ装置８０から管理サーバ６０へのアクセスは、ＣＰＵ２０１にて実行されるブラウザによって実現される。図１および図９に示す各処理機能を実行するアプリケーションプログラムやブラウザは、メインメモリ２０３上に読み込まれ、ＣＰＵ２０１によって実行される。尚、各種データベースは、図１２に示すハードディスク装置(ＨＤＤ)２２３が用いられる場合の他、例えばＵＳＢを介した外付けＨＤＤ、また、内部ネットワーク等を介して接続された記憶装置が用いられる場合がある。
【００５９】
以上、詳述したように、例えばデパートやブティック、結婚式衣装レンタルなどの衣料品を取り扱う環境において、商品が高価であるが故に１人では簡単に決定できない場合でも、本実施の形態におけるシステム構成を利用すれば、顧客による商品購入の機会を失うことがない。即ち、本実施の形態では、試着画像３２０をプリント出力することで、カタログ情報を別の人と共有するための場所を選ぶことがなくなる。このとき、本実施の形態では、試着画像３２０と共に、試着した商品の色違い等の関連商品について、変換試着画像３２１,３２２を作成し、これについても試着カタログに含めるように構成した。これによって、商品の販売実績を向上させることが期待できる。また、試着画像３２０に対して、その商品が使用される状況等を加味した背景情報を合成して出力することで、顧客が商品を身に着けた際のイメージを強化させることができ、より販売実績を向上させることが可能となる。
【産業上の利用可能性】
【００６０】
本発明の活用例としては、店舗等に用いられるコンピュータ装置、インターネット等を介して情報を提供するサーバ等が考えられる。
【図面の簡単な説明】
【００６１】
【図１】本実施の形態が適用される映像情報処理システムの全体構成を示した図である。
【図２】(ａ),(ｂ)は、本実施の形態にて生成される試着カタログの一例を示した図である。
【図３】本実施の形態にて生成される試着カタログの一例を示した図である。
【図４】本実施の形態にて生成される試着カタログの一例を示した図である。
【図５】試着カタログの発行処理を示したフローチャートである。
【図６】(ａ),(ｂ)は、商品画像変換処理の中で、商品色変換時の処理を説明するための図である。
【図７】(ａ),(ｂ)は、試着画像の背景処理と合成の処理を説明するための図である。
【図８】コード情報認識のための処理を示したフローチャートである。
【図９】ネットワークを介した映像情報処理システムの全体構成を示した図である。
【図１０】図９に示すネットワークを介した映像情報処理システムの処理の中で、試着カタログの出力処理を示したフローチャートである。
【図１１】図９に示すネットワークを介した映像情報処理システムの処理の中で、コード情報の認識処理を示したフローチャートである。
【図１２】コンピュータ装置に適用可能なハードウェアアーキテクチャの一例を示した図である。
【符号の説明】
【００６２】
１１…ディジタルカメラ、１２…スキャナ、１３…プリンタ、２１…顧客情報データベース(顧客情報ＤＢ)、２２…商品情報データベース(商品情報ＤＢ)、２３…映像情報データベース(映像情報ＤＢ)、２４…注文用データベース(ＤＢ)、３０…ＰＣ(パーソナルコンピュータ)、３１…試着カタログ作成処理、３２…コード情報認識処理、６０…管理サーバ、７０…店舗装置、８０…ユーザ装置、９０…商品提供会社サーバ
【図１】
2005099956.tif 000003
【図２】
2005099956.tif 000004
【図３】
2005099956.tif 000005
【図４】
2005099956.tif 000006
【図５】
2005099956.tif 000007
【図６】
2005099956.tif 000008
【図７】
2005099956.tif 000009
【図８】
2005099956.tif 000010
【図９】
2005099956.tif 000011
【図１０】
2005099956.tif 000012
【図１１】
2005099956.tif 000013
【図１２】
2005099956.tif 000014